(57)【要約】【課題】端子やハーネスの損傷を抑制しつつコネクタ挿抜時の作業性を向上する。【解決手段】オス側コネクタＣ２をメス側コネクタＣ１に挿入して互いに係合し合わせたときに回動軸部Ｊ１と軸受け部Ｊ２とが係合し、端子が並ぶ方向に沿った所定の回動中心軸Ｊを形成し、メス側コネクタＣ１とオス側コネクタＣ２とを相対的な回動が可能な状態とする。コネクタＣ１に対して横向きとなる様に回動したコネクタＣ２から延びるハーネスＨは、コネクタ近傍で屈曲させなくてもよく、ハーネス設置のためのスペースを小さくすることができる。雌雄一対のコネクタＣ１，Ｃ２を抜き取る場合には、回動によって倒した方のコネクタＣ２をコネクタ挿抜方向に向くように回動してから抜き取ればよい。【選択図】  図１
2016214695.tif 000002
【特許請求の範囲】
【請求項１】
電気的な接続部の少なくとも一部を、挿抜可能な雌雄一対のコネクタを係合させたコネクタ接続部とした遊技機であって、以下の構成を備えていることを特徴とする遊技機。
（１Ａ）前記雌雄一対のコネクタには、各ハウジング内に所定方向に並ぶ様にそれぞれ複数個の端子が備えられると共に、当該複数個の端子に隣接する様にそれぞれ複数個の溝又は空所が備えられ、対応する端子同士を、前記溝又は空所内において前記端子が並ぶ方向に接触させることにより、前記電気的な接続部を形成する様に構成されていること。
（１Ｂ）前記雌雄一対のコネクタの内のメス側コネクタのハウジングは、前記複数個の端子の並んだ方向に沿う方の壁面の少なくとも一方が取り去られるか若しくは当該メス側コネクタに備えられた端子の高さよりも低くされていること。
（１Ｃ）前記雌雄一対のコネクタには、前記オス側コネクタをメス側コネクタに挿入して互いに係合し合わせた状態において、前記端子が並ぶ方向に沿った所定の回動中心軸の周りに相対的な回動が可能な状態を形成する様に係合する回動軸部と軸受け部とが備えられていること。
【請求項２】
さらに、以下の構成をも備えていることを特徴とする請求項１に記載の遊技機。
（２Ａ）前記回動軸部と前記軸受け部とが係合することによって前記回動中心軸がコネクタ挿抜方向と直交する方向に形成されること。
（２Ｂ）前記雌雄一対のコネクタの一方のコネクタのハウジングの所定位置に突起部が形成され、前記雌雄一対のコネクタを係合させるとき、前記突起部を前記コネクタ挿抜方向に沿ってガイドするガイド溝部が他方のコネクタのハウジングの所定位置に形成されていること。
【請求項３】
さらに、以下の構成をも備えていることを特徴とする請求項２に記載の遊技機。
（３Ａ）前記ガイド溝部は、前記雌雄一対のコネクタを係合させるとき、前記突起部の侵入方向を、第１の深さまでは前記コネクタ挿抜方向に規制し、前記第１の深さを越えたら前記コネクタ挿抜方向には規制しない様に形成されていること。
（３Ｂ）前記突起部は、前記雌雄一対のコネクタを係合させるとき、当該突起部の侵入方向を、前記第１の深さまでは前記ガイド溝部によって前記コネクタ挿抜方向に規制され、前記第１の深さを越えたら前記ガイド溝部によって前記コネクタ挿抜方向には規制されない様に形成されていること。
（３Ｃ）前記雌雄一対のコネクタは、前記第１の深さを越えて挿入し合うことによって、前記回動軸部と前記軸受け部とを係合し合う様に構成されていること。
【請求項４】
さらに、以下の構成をも備えていることを特徴とする請求項２又は３に記載の遊技機。
（４Ａ）前記雌雄一対のコネクタは、メス側コネクタのハウジングが、前記回動中心軸と直交する側の壁面を該回動中心軸の両端側に備えると共に、前記回動中心軸と平行な壁面は該回動中心軸を挟んだ一方側にだけ備えた三方閉鎖型のボックス状に構成されていること。
（４Ｂ）前記ガイド溝部は前記メス側コネクタのハウジング内面に、前記三方閉鎖型のボックス状に構成された前記メス側コネクタのハウジングの壁面が開放された側から奥へと拡大する様に形成されていること。
（４Ｃ）前記突起部は、オス側コネクタのハウジングの外面に、前記回動中心軸の両端方向へと突出する様に形成されていること。
【請求項５】
さらに、以下の構成をも備えていることを特徴とする請求項４に記載の遊技機。
（５）前記雌雄一対のコネクタの内の一方のコネクタが基板の背面側に実装され、他方のコネクタは、前記三方閉鎖型のボックス状に構成された前記メス側コネクタのハウジングの壁面が開放された側から前記基板の正面側に取り廻す様に延ばされたハーネスを備えていること。
【請求項６】
さらに、以下の構成をも備えていることを特徴とする請求項５に記載の遊技機。
（６）前記基板は遊技盤の背面側に取り付けられる裏ユニットに設置され、前記ハーネスは、前記裏ユニットの正面側に備えられる遊技機構成部品に対して接続されていること。
【発明の詳細な説明】
【技術分野】
【０００１】
本発明は、パチンコ機、スロットマシンなどの遊技機に係り、信号ラインや電源ラインなどの接続の少なくとも一部に雌雄一対のコネクタを採用した遊技機に関する。
【背景技術】
【０００２】
従来、パチンコ機やスロットマシンなどの遊技機において、基板側に実装されたコネクタに対し、図１４（Ａ）に示す様に、ハーネス付きコネクタを基板に垂直な方向から挿抜する構成としたもの（特許文献１）、図１４（Ｂ）に示す様に、基板に平行な方向から挿抜する構成としたもの（特許文献２）がある。
【０００３】
また、図１４（Ｃ）に示す様に、遊技盤側に取り付けた中継基板と機構板側に取り付けた制御基板との電気的な接続にあたり、開閉時の回動中心に近い位置ではハーネス付きコネクタ同士を直接接続したままとし、回動中心から離れた位置においては開閉動作によって挿抜が行われる様に遊技盤取付枠と機構板の対応位置に雌雄一対のコネクタを埋設したパチンコ機（特許文献３）や、図１４（Ｄ）に示す様に、メインユニット側の接続基板とマシン本体側の接続基板に雌雄一対のコネクタを設けてメインユニットの脱着時にコネクタの挿抜が行われる様にしたスロットマシン（特許文献４）も知られている。
【先行技術文献】
【特許文献】
【０００４】
【特許文献１】特開２００８−３６３１９号公報（図３，図４）
【特許文献２】特開２００４−１６７１５１号公報（図４）
【特許文献３】実公平６−４１５７７号公報（図１）
【特許文献４】特開２００３−３１０８３３号公報（図５）
【発明の概要】
【発明が解決しようとする課題】
【０００５】
ところで、特許文献２の様に、基板に平行にコネクタを挿抜する構成を採用した場合は作業性が悪くなるという問題がある。一方、特許文献１の様に、基板に垂直にコネクタを挿抜する構成を採用すれば作業性は向上するがハーネスの取り廻しのスペースが必要であったり、取り廻しの際に折れ曲がりが生じて断線の原因となるおそれがあったりする。また、特許文献３，４の様に互いに固定されているコネクタ同士を接合する構成においては、コネクタの位置や角度等の取付精度を高くしておかないと挿抜し難かったり、端子に損傷を与えたりする可能性がある。
【０００６】
そこで、本発明は、信号ラインや電源ラインなどの接続の少なくとも一部に雌雄のコネクタを採用した遊技機において、端子やハーネスの損傷を抑制しつつコネクタ挿抜時の作業性を向上することを目的とする。
【課題を解決するための手段】
【０００７】
上記目的を達成するためになされた本発明の遊技機は、電気的な接続部の少なくとも一部を、挿抜可能な雌雄一対のコネクタを係合させるコネクタ接続部とした遊技機であって、以下の構成を備えていることを特徴とする。
（１Ａ）前記雌雄一対のコネクタには、各ハウジング内に所定方向に並ぶ様にそれぞれ複数個の端子が備えられると共に、当該複数個の端子に隣接する様にそれぞれ複数個の溝又は空所が備えられ、対応する端子同士を、前記溝又は空所内において前記端子が並ぶ方向に接触させることにより、前記電気的な接続部を形成する様に構成されていること。
（１Ｂ）前記雌雄一対のコネクタの内のメス側コネクタのハウジングは、前記複数個の端子の並んだ方向に沿う方の壁面の少なくとも一方が取り去られるか若しくは当該メス側コネクタに備えられた端子の高さよりも低くされていること。
（１Ｃ）前記雌雄一対のコネクタには、前記オス側コネクタをメス側コネクタに挿入して互いに係合し合わせた状態において、前記端子が並ぶ方向に沿った所定の回動中心軸の周りに相対的な回動が可能な状態を形成する様に係合する回動軸部と軸受け部とが備えられていること。
【０００８】
本発明の遊技機によれば、メス側コネクタのハウジングが、端子の並んだ方向に沿う方の壁面の少なくとも一方が取り去られるか若しくは当該メス側コネクタに備えられた端子の高さよりも低くされると共に、図１（Ａ）に例示する様に、オス側コネクタＣ２をメス側コネクタＣ１に挿入して互いに係合し合わせたときに回動軸部Ｊ１と軸受け部Ｊ２とが係合し、端子が並ぶ方向に沿った所定の回動中心軸Ｊを形成し、メス側コネクタＣ１とオス側コネクタＣ２とを相対的な回動が可能な状態とする。このとき、雌雄一対のコネクタは、ハウジング内に所定方向に並ぶ様に備えられた複数個の端子に隣接する様に複数個の溝又は空所を備え、対応する端子同士を、溝又は空所内において端子が並ぶ方向に接触させることにより電気的な接続部を形成するから、電気的な接続を維持しつつ、メス側ハウジングにおいて壁面が取り去られるか低くされた方向へと回動させることができる。
【０００９】
この結果、雌雄一対のコネクタを所定の挿抜方向に沿って挿入し合って係合させた後、一方のコネクタを基準にして他方のコネクタを倒すことにより、例えば、基板に実装されたコネクタに対して他方のコネクタを基板に平行な横向きに取り付ける場合の作業性等を向上することができる。また、この横向きの取り付けが容易に実行できる結果、図１（Ｂ）に例示する様に、コネクタＣ１に対して横向きとしたコネクタＣ２から延びるハーネスＨは、コネクタ近傍で屈曲させなくてもよく、ハーネス設置のためのスペースを小さくすることができる。雌雄一対のコネクタＣ１，Ｃ２を抜き取る場合には、回動によって倒した方のコネクタＣ２をコネクタ挿抜方向に向くように回動してから抜き取ればよい。これにより、コネクタの挿抜時の作業性を向上させ、端子やハーネスの損傷を抑制することができる。
【００１０】
なお、最終的な基板組み付け状態において基板同士が直交する状態となる様な場合の基板同士の電気的な接続部に対して本発明を適用することもできる。この場合、図１（Ｃ）に例示する様に、両方のコネクタＣ１，Ｃ２が基板Ｋ１，Ｋ２に実装されていて、コネクタ同士を係合させた後に基板Ｋ２ごと相対的な回動を行わせ、互いに直交した配置となる様な基板の組み付け方を行うことができ、コネクタ係合作業の作業性を向上させ、端子の損傷を抑制し、基板組み付けスペースを小さくするといった作用・効果が発揮されることとなる。かかる部分に用いる場合に、図１（Ｄ）に例示する様に、一方のコネクタＣ１が基板Ｋ１に直接実装され、他方のコネクタＣ２は基板Ｋ２に実装されたハーネスＨ２の先端に取り付けられている様な場合であれば、コネクタ同士を係合させた後に基板同士を回動させ、ハーネスを相手側の基板に沿った状態とする構成であってもよい。この場合、ハーネスの長さを必要最小限にしても作業性を損なうことなく基板間の電気的な接続を実行することができる。
【００１１】
また、ハーネス同士の電気的な接続部において本発明を適用してもよい。この場合、図１（Ｅ）に例示する様に、係合させたコネクタＣ１，Ｃ２の回動によってハーネスＨ１，Ｈ２を屈曲させることなく、直交方向へとハーネスを配置することができる。
【００１２】
ここで、本発明の遊技機は、さらに、以下の構成をも備えるとよい。
（２Ａ）前記回動軸部と前記軸受け部とが係合することによって前記回動中心軸がコネクタ挿抜方向と直交する方向に形成されること。
（２Ｂ）前記雌雄一対のコネクタの一方のコネクタのハウジングの所定位置に突起部が形成され、前記雌雄一対のコネクタを係合させるとき、前記突起部を前記コネクタ挿抜方向に沿ってガイドするガイド溝部が他方のコネクタのハウジングの所定位置に形成されていること。
【００１３】
かかる構成をも備える遊技機によれば、ガイド溝部によって突起部をコネクタ挿抜方向にガイドすることにより、雌雄一対のコネクタを係合させるときに挿抜方向を安定させる。この結果、回動可能としたことによって挿抜方向が狂い易いといった新たな問題をも解消することができ、一層の作業性向上、それに伴う端子等の損傷の抑制といった作用・効果がより顕著に発揮される。
【００１４】
また、ガイド溝部と突起部とを有する本発明の遊技機は、さらに、以下の構成をも備えるとよい。
（３Ａ）前記ガイド溝部は、前記雌雄一対のコネクタを係合させるとき、前記突起部の侵入方向を、第１の深さまでは前記コネクタ挿抜方向に規制し、前記第１の深さを越えたら前記コネクタ挿抜方向には規制しない様に形成されていること。
（３Ｂ）前記突起部は、前記雌雄一対のコネクタを係合させるとき、当該突起部の侵入方向を、前記第１の深さまでは前記ガイド溝部によって前記コネクタ挿抜方向に規制され、前記第１の深さを越えたら前記ガイド溝部によって前記コネクタ挿抜方向には規制されない様に形成されていること。
（３Ｃ）前記雌雄一対のコネクタは、前記第１の深さを越えて挿入し合うことによって、前記回動軸部と前記軸受け部とを係合し合う様に構成されていること。
【００１５】
かかる構成をも備える遊技機によれば、雌雄一対のコネクタを係合させるとき、第１の深さまでは、突起部はガイド溝部によって侵入方向をコネクタ挿抜方向に規制され、これにより、的確な方向に係合を開始する。第１の深さを越えたらこのガイド溝部による侵入方向の規制がなくなる。そして、回動軸部と軸受け部とは、第１の深さを越えて挿入し合うことによって係合し、両コネクタを相対的に回動可能な状態とする。上述の様に、このときは突起部はガイド溝部による規制がなされない位置まで侵入しているから、ガイド溝部に邪魔されることなく相対的な回動を行うことができる。
【００１６】
さらに、この第１の深さを基準とした突起部の挿入方向の規制を行う構成を有する本発明の遊技機は、さらに、以下の構成をも備えるとよい。
（３Ｄ）前記ガイド溝部は、前記第１の深さまでの部分が前記突起部の幅とほぼ同一の細幅部とされ、前記第１の深さを越える部分は前記回動中心軸周りの相対的な回動を行ったときに前記突起部を逃がす方向に広がる拡大部とされた一連の溝として形成されていること。
【００１７】
かかる構成をも備えることにより、第１の深さを越えて係合させた後に両コネクタを相対的に回動すると、突起部はガイド溝部の拡大部に入り込み、相対的に回動された状態ではコネクタ挿抜方向へ抜き取ることができない様にする。また、相対的に回動された状態で、回動させた方のコネクタを回動後の端子の向きに沿って引っ張られたとしても、ガイド溝部が細幅部と拡大部を一連とした構成となっているから、突起部が当該引っ張られた方向に移動したとしてもガイド溝部から抜け出すことはない。この結果、両コネクタを係合させてから回動させることにより、自然に、係合を離脱できないロックされた状態を構成することができる。このロックされた状態は、回動状態を元に戻すことにより、突起部をガイド溝部の細溝部の延長上に位置させることにより解除され、コネクタ挿抜方向へと抜き取ることが可能になる。よって、抜き取り作業に支障を来すこともない。
【００１８】
また、ガイド溝部と突起部とを有する本発明の遊技機は、さらに、以下の構成をも備えるとよい。
（４Ａ）前記雌雄一対のコネクタは、メス側コネクタのハウジングが、前記回動中心軸と直交する側の壁面を該回動中心軸の両端側に備えると共に、前記回動中心軸と平行な壁面は該回動中心軸を挟んだ一方側にだけ備えた三方閉鎖型のボックス状に構成されていること。
（４Ｂ）前記ガイド溝部は前記メス側コネクタのハウジング内面に、前記三方閉鎖型のボックス状に構成された前記メス側コネクタのハウジングの壁面が開放された側から奥へと拡大する様に形成されていること。
（４Ｃ）前記突起部は、オス側コネクタのハウジングの外面に、前記回動中心軸の両端方向へと突出する様に形成されていること。
【００１９】
かかる構成をも備えることにより、オス側コネクタをメス側コネクタに対して９０度回動した状態とすることができ、９０度回動した状態において、上述したロック状態を的確に形成することができる。
【００２０】
なお、この（４Ａ）〜（４Ｃ）の構成をも備えた本発明の遊技機は、さらに、以下の構成をも備えることができる。
（５）前記雌雄一対のコネクタの内の一方のコネクタが基板の背面側に実装され、他方のコネクタは、前記三方閉鎖型のボックス状に構成された前記メス側コネクタのハウジングの壁面が開放された側から前記基板の正面側に取り廻す様に延ばされたハーネスを備えていること。
【００２１】
オス側コネクタをメス側コネクタに対して端子の延びる方向から挿入する様に係合させた後に９０度回動させてメス側コネクタが実装されている基板の背面に平行な方向にハーネスを延ばした状態とすることにより、ハーネスを背面側に大きく飛び出る様に屈曲させることなく基板の正面側へと取り廻すことができ、スペースの抑制とハーネスの損傷抑制とを的確に実現することができる。
【００２２】
この場合、本発明の遊技機は、さらに、以下の構成をも備えることができる。
（６）前記基板は遊技盤の背面側に取り付けられる裏ユニットに設置され、前記ハーネスは、前記裏ユニットの正面側に備えられる遊技機構成部品に対して接続されていること。
【００２３】
かかる構成をも備えることにより、コネクタ挿抜作業を作業スペースを十分に確保可能な裏ユニットの背面側で容易に実行することができ、こうして接続したコネクタから裏ユニットの正面側の遊技機構成部品へとハーネスを接続するためにハーネスを極端に屈曲させることなく容易に取り廻すことができる。
【００２４】
この場合、本発明の遊技機は、さらに、以下の構成をも備えることができる。
（７）前記遊技機構成部品が電飾部品を備える可動体役物であり、前記ハーネスは、当該可動体役物の電飾部品が実装されたＬＥＤ基板に対して接続されていること。
【００２５】
かかる構成をも備えることにより、可動体役物が動作してハーネスが引っ張られたり戻されたりするとき、基板の背面で接続したコネクタ同士が相対的な回動が可能な状態で係合されているから、ハーネスに加わる引っ張ったり戻したり力をコネクタの回動によって逃がすことができる。
【００２６】
なお、ガイド溝部と突起部とを有する本発明の遊技機は、さらに、以下の構成をも備えるとよい。
（８）前記ガイド溝部には、前記雌雄一対のコネクタを係合させ始めるときに前記突起部の侵入方向を前記コネクタ挿抜方向に対して傾かせ得る様に、外に向かって開いた侵入口が備えられていること。
【００２７】
かかる構成をも備えることにより、コネクタ同士を差し込み合うとき、ガイド溝部の外開きの侵入口が突起部をガイド溝部へと誘導し、スムーズな差し込み作業をサポートすることができる。
【００２８】
同様に、ガイド溝部と突起部とを有する本発明の遊技機は、さらに、以下の構成をも備えるとよい。
（９）前記突起部には、前記雌雄一対のコネクタを係合させ始めるときに前記ガイド溝部に対する侵入方向を前記コネクタ挿抜方向に対して傾かせ得る様に、先細となる先端部が備えられていること。
【００２９】
かかる構成をも備えることにより、コネクタ同士を差し込み合うとき、突起部の先細の先端部がガイド溝部への侵入を誘導し、スムーズな差し込み作業をサポートすることができる。なお、ガイド溝部に外開きの侵入口を備えさせ、突起部に先細の先端部を備えさせる場合には、さらに、スムーズな差し込み作業を実現する。
【００３０】
これら（８）又は（９）の構成をも有する本発明の遊技機は、さらに、以下の構成をも備えることができる。
（１０）前記雌雄一対のコネクタは、接近・離間可能に構成された遊技機構成部品同士の対面する側を互いに当接させたときに電気的な接続を行う様に、各遊技機構成部品同士の対面する面の対応する位置に対となる様に固定されていること。
【００３１】
かかる構成を備える遊技機では、接近・離間可能に構成された遊技機構成部品同士を当接させたときの電気的な接続に当たり、上述の様にガイド溝部へと突起部を侵入開始する際の誘導作用が発揮される結果、両構成部品間でのコネクタの取付位置や取付角度に若干のズレがあったとしてもスムーズにコネクタの接合を開始することができる。そして、コネクタ同士が係合した状態での相対的な回動が、こうしたズレを吸収する。両者を離間させて接続を解除するときも、コネクタ同士の相対的な回動が抜き取り開始時の動作を邪魔しない様に作用し、抜き取り作業も容易に実行させる。
【００３２】
この場合、本発明の遊技機は、さらに、以下の構成をも備えることができる。
（１１）前記接近・離間される遊技機構成部品同士は、上下方向又は左右方向を旋回中心軸とする様に旋回可能に連結されていること。
【００３３】
かかる構成を備える遊技機では、旋回によって接近・離間を行う結果、遊技機構成部品同士を接近させる方向へ旋回してコネクタ同士を係合開始させるときのコネクタ同士の若干の傾斜は、ガイド溝部への突起部の侵入の誘導作用によって解消され、最終的に遊技機構成部品同士を当接させたときにコネクタ同士の相対的な回動が的確な接続状態へとコネクタ同士の係合状態を自然に調整する。逆に、離間方向へと旋回して遊技機構成部品同士の電気的な接続を解除するときは、コネクタ同士の相対的な回動が相対的な傾斜状態を許容し、スムーズな接続解除を可能にする。
【発明の効果】
【００３４】
本発明によれば、信号ラインや電源ラインなどの接続の少なくとも一部に雌雄のコネクタを採用した遊技機において、端子やハーネスの損傷を抑制しつつコネクタ挿抜時の作業性を向上することができる。
【図面の簡単な説明】
【００３５】
【図１】本発明の作用等を示し、（Ａ）は雌雄のコネクタを係合させて回動中心軸を形成する様子、（Ｂ）はハーネスを備えたオス側コネクタをメス側コネクタに係合させた後に９０度回動させる様子、（Ｃ）はボード・トゥー・ボード接続後に基板同士を９０度回動させる様子、（Ｄ）は基板に実装されたメス側コネクタに基板からハーネスを延ばしたオス側コネクタを係合させた後に回動させる様子、（Ｅ）はハーネス同士の電気的な接続部に適用する様子、をそれぞれ例示する模式図である。
【図２】実施例１のパチンコ機を示し、（Ａ）は斜視図、（Ｂ）は正面図、（Ｃ）は分解斜視図である。
【図３】実施例１のパチンコ機の遊技盤を示し、（Ａ）は可動体待機状態の正面図、（Ｂ）は可動体待機状態の裏ユニットの正面図である。
【図４】実施例１のパチンコ機の大型装飾体に備えられたＬＥＤ基板の配置等を示し、（Ａ）は正面図、（Ｂ）はａ−ａ断面図、（Ｃ）はｂ−ｂ断面図である。
【図５】実施例１のパチンコ機の裏ユニット前面側に備えられたＬＥＤ基板の配置等を示し、（Ａ）は正面図、（Ｂ）はｃ−ｃ断面図、（Ｃ）はｄ−ｄ断面図である。
【図６】実施例１のパチンコ機の可動体に備えられたＬＥＤ基板の配置等を示し、（Ａ）は正面図、（Ｂ）はｅ−ｅ断面図、（Ｃ）はｆ−ｆ断面図である。
【図７】実施例１のパチンコ機のＬＥＤ基板の接続状態を示し、（Ａ）は裏ユニットの背面図、（Ｂ）は裏ユニットＬＥＤ端子板へのハーネスの接続状態を示す要部拡大図である。
【図８】実施例１のパチンコ機において使用するメス側コネクタを示し、（Ａ）は斜視図、（Ｂ）は端子の配置を示す断面図、（Ｃ）は壁面の内側のガイド溝部を示す断面図である。
【図９】実施例１のパチンコ機において使用するオス側コネクタを示し、（Ａ）は一部切断して示す斜視図、（Ｂ）は端子の配置を示す断面図、（Ｃ）は壁面の外側の突起部を示す側面図である。
【図１０】実施例１のパチンコ機において雌雄一対のコネクタを挿抜する様子を示し、（Ａ）は斜視図、（Ｂ）は挿入開始時の断面図、（Ｃ）は挿入向に規制した状態の断面図、（Ｄ）は回動中心軸を形成した状態の斜視図である。
【図１１】実施例１のパチンコ機において雌雄一対のコネクタを挿抜する様子を示し、（Ａ）は回動軸を形成した状態の突起部とガイド溝部との関係を示す断面図、（Ｂ）はそのときの端子同士の接続の様子を示す断面図、（Ｃ）は回動中における突起部とガイド溝部との関係を示す断面図、（Ｄ）はそのときの端子同士の接続の様子を示す断面図、（Ｅ）は９０度回動した状態における突起部とガイド溝部との関係を示す断面図、（Ｆ）はそのときの端子同士の接続の様子を示す断面図である。
【図１２】実施例２のパチンコ機の正面図である。
【図１３】実施例２のパチンコ機における中枠と遊技盤の電気的な接続の様子を示し、（Ａ）は要部拡大図を併せて記載した平面図、（Ｂ）は接続開始時の断面図、（Ｃ）は挿入向に規制した状態の断面図、（Ｄ）は接続完了した状態の断面図である。
【図１４】従来技術の説明図である。
【発明を実施するための形態】
【００３６】
以下、本発明の実施形態として、具体的な実施例を図面に基づき詳細に説明する。
【実施例１】
【００３７】
［１  遊技機全体の概要］
実施例１のパチンコ機Ｐは、図２に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されている。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００３８】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００３９】
遊技盤１は、ベニヤ板、透明合成樹脂板などによって形成され、障害釘などが前面側に取り付けられた板部材１ａと、この板部材１ａの裏面側から取り付けられる裏ユニット３とから構成されている。裏ユニット３には、液晶表示装置ＬＣＤをはじめ、電飾装置、可動体役物などが組み付けられる。裏ユニット３は、板部材１ａの裏面と液晶表示装置ＬＣＤの前面との間で可動体役物が出没等の動作を行うためのスペースを確保できる様に、板部材１ａの裏面に取り付けられる。また、可動体等が取り付けられるセンター役物５が、板部材１ａの中央開口１ｂを取り囲み、液晶表示装置ＬＣＤの視認領域を形成する。
【００４０】
遊技盤１について説明すると、図３（Ａ）に示す様に、センター役物５は、障害釘１１や風車１２が植設された遊技領域１０の中央に位置する様に取り付けられ、センター役物５の中央直下に始動入賞装置７が備えられる。また、この始動入賞装置７の右斜め下方に大入賞口１５が設置され、センター役物５の右上から右下にかけての部分には、右打ち通路２０が備えられた構成となっている。遊技盤１には、この他、誘導レール１７、普通入賞口１８，１８，…、アウト口１９等も設置されている。
【００４１】
センター役物５は、大型装飾体３１、ステージ３２、ワープ通路３３を備えるリング状を呈している。右打ち通路２０は、遊技球を整列させながら流下させる通路幅に構成され、その下方に広がる右側遊技領域４０へと遊技球を放出する。右側遊技領域４０には、ゲート３７が備えられると共に、第２始動入賞装置２７及び普通入賞口１８が設置されている。この第２始動入賞装置２７は、ゲート３７を遊技球が通過したことを契機に実行される普通図柄抽選結果に基づいて開閉動作される電動式チューリップを備えている。本実施例においては、大入賞口１５も右側遊技領域４０に位置させ、右打ち通路２０を経由させて入賞させる大当たり遊技の方式を採用している。また、大当たり遊技終了後に確変や変短が付与された場合には、ゲート３７の通過による普通図柄抽選の当選確率を「ほぼ０％の状態」から「ほぼ１００％の状態」へと変更し、大当たり後も所定期間に渡って右打ち遊技を楽しませる構成も採用している。
【００４２】
［２  可動体の概要］
また、図３（Ｂ）に示す様に、裏ユニット３の前面側には、演出用の上部可動体１１０、左可動体１２０、右下可動体１３０、右上可動体１４０が組み付けられている。これら各可動体１１０〜１４０は、図３（Ａ）に示す様に、動作を行う前の待機位置においては大型装飾体３１と一体化している。そして、各可動体１１０〜１４０は、図３（Ｂ）に矢印で示す様に、待機位置と動作位置との間を回動動作する。
【００４３】
［３  発光演出部材の概要］
また、本実施例のパチンコ機Ｐには、図４〜図６に示す様に、ＬＥＤを用いた発光演出を行うためのＬＥＤ基板が備えられている。
【００４４】
図４（Ａ）〜（Ｃ）に示す様に、大型装飾体３１には、複数のＬＥＤ基板５０１〜５０７が備えられ、それぞれ、裏面側の接続部５０１ａ〜５０７ａから延ばされるハーネス５０１ｈ〜５０７ｈは、大型装飾体３１の内部で取り廻した後、板部材１ａの所定位置に形成した配線孔１ｈ１，１ｈ２、及び裏ユニット３の所定位置に形成した配線孔３ｈ１，３ｈ２を通して、裏ユニット３の裏面側まで取り廻す様に配線される。
【００４５】
図５（Ａ）〜（Ｃ）に示す様に、裏ユニット３の前面側にも複数のＬＥＤ基板５１１〜５１６が取り付けられ、それぞれ、裏面側の接続部５１１ａ〜５１６ａから延ばされるハーネス５１１ｈ〜５１６ｈは、裏ユニット３の所定位置に形成した配線孔３ｈ３，３ｈ４を通して、裏ユニット３の裏面側まで取り廻す様に配線される。
【００４６】
また、図６（Ａ）〜（Ｃ）に示す様に、各可動体１１０〜１３０の内部にも、ＬＥＤ基板５２１−１，５２１−２、５２２、５２３が設置され、それぞれの裏面側の接続部５２１ａ１，５２１ａ２，５２２ａ，５２３ａから延ばされるハーネス５２１ｈ１，５２１ｈ２，５２２ｈ，５２３ｈは、可動体１１０〜１３０の内部を取り廻され、裏ユニット３の各可動体１１０〜１３０の回動中心付近に形成された配線孔３ｈ２１〜３ｈ２３を通して、裏ユニット３の裏面側まで取り廻す様に配線される。これらハーネス５２１ｈ１，５２１ｈ２，５２２ｈ，５２３ｈは、可動体１１０〜１３０の回動動作に追従し得る様に、長さに余裕を持たせて配線される。なお、上部可動体１１０の回動中心部の裏面には、ハーネス５２１ｈ１とハーネス５２１ｈ２を分けて引き出すことができる様に、円弧状開口５２１ｃ１，５２１ｃ２を有する裏蓋が装着さえている。
【００４７】
裏ユニット３の裏面には、図７（Ａ）に示す様に、遊技盤入出力信号中継端子板５１、電源中継基板５２、ランプ中継信号基板５３、裏ユニットＬＥＤ中継端子板５４が取り付けられている。大型装飾体内部に収納されたＬＥＤ基板５０１〜５０７、可動体の裏側位置に設置されたＬＥＤ基板５１１〜５１６、及び可動体内部に収納されたＬＥＤ基板５２１−１，２１−２，５２２，５２３から延ばされたハーネス５０１ｈ〜５０７ｈ，５１１ｈ〜５１６ｈ，５２１ｈ１，５２１ｈ２，５２２ｈ，５２３ｈは、図７（Ｂ）に示す様に、裏ユニットＬＥＤ中継端子板５４備えられたコネクタＣ５０１〜Ｃ５０６，Ｃ５１１〜Ｃ５１６，Ｃ５２１〜Ｃ５２４に接続される。
【００４８】
［４  コネクタの概要］
裏ユニットＬＥＤ中継端子板５４備えられたコネクタＣ５０１〜Ｃ５０６，Ｃ５１１〜Ｃ５１６，Ｃ５２１〜Ｃ５２４は、図８に示す様に、いずれもメス側コネクタＦＣとされている。そして、このメス側コネクタＦＣに対して係合させるハーネス側のコネクタは、図９に示す様に、オス側コネクタＭＣとされている。そして、これら雌雄一対のコネクタは、図１０，図１１に示す様に、メス側コネクタＦＣに形成された回動軸部ＦＣ１と、オス側コネクタＭＣに形成された軸受け部ＭＣ１とを係合させて電気的な接続状態を保持したままで最大９０度回動可能に構成されている。
【００４９】
メス側コネクタＦＣは、図８（Ａ）に示す様に、ハウジングＦＣ２内に幅方向に並ぶ様に複数個の端子ＦＣ３，…，ＦＣ４，…が備えられると共に、各端子に隣接する様に空所ＦＣ５，…が備えられている。これら端子ＦＣ３，ＦＣ４は、金属板からの打ち抜き加工によって剛性を有するナイフ状に形成されている。また、図８（Ｂ）に示す様に、前側の端子ＦＣ３が後側の端子ＦＣ４よりも高さが低くなる様に、前後で高さを異ならせた設計とされている。
【００５０】
オス側コネクタＭＣは、図９（Ａ），（Ｂ）に示す様に、ハウジングＭＣ２内に幅方向に並ぶ様に複数個の端子ＭＣ３，…，ＭＣ４，…が備えられると共に、各端子に隣接する様に溝ＭＣ５，…が備えられている。これら端子ＭＣ３，ＭＣ４は、コネクタ係合時にメス側の端子ＦＣ３，ＦＣ４の両側面を挟む様に接触する接点ＭＣ３ａ，ＭＣ４ａを内側に突設させる様に金属板を打ち抜き加工した後、Ｕ字状に折り曲げ加工してバネ状に形成されている。また、図９（Ｂ）に示す様に、前側の端子ＭＣ３が後側の端子ＭＣ４よりも深さが浅くなる様に、前後で深さを異ならせた設計とされている。
【００５１】
メス側コネクタＦＣのハウジングＦＣ２は、  図８（Ａ），図１０（Ａ）に示す様に、端子ＦＣ３，ＦＣ４の並んだ方向に沿う背面側と、その左右両端に壁面ＦＣ６〜ＦＣ８を備え、前面側には壁面を備えない三方閉鎖型のボックス状に構成されている。前述の回動軸部ＦＣ１は、左右の壁面ＦＣ７，ＦＣ８の外面側から突設された円柱状の突起部によって構成されている。なお、本実施例においては、図７（Ｂ）に示す様に、メス側コネクタＦＣは、裏ユニットＬＥＤ中継端子板５４に対して、背面が基板中心側となり、壁のない前面が基板の外側に向く様に実装されている。
【００５２】
一方、オス側コネクタＭＣのハウジングＭＣ２は、  図９（Ａ），図１０（Ａ），（Ｃ）に示す様に、ボックス状本体の左右の壁面ＭＣ７，ＭＣ８の外面側の高さ方向中程から突設された水平プレートＭＣ７ａ，ＭＣ８ａの端部に形成された垂直プレートＭＣ７ｂ，ＭＣ８ｂの下端に形成された下向き開口の半円形凹部によって軸受け部ＭＣ１が形成されている。
【００５３】
また、図８（Ａ）〜（Ｃ）に示す様に、メス側コネクタＦＣの左右の壁面ＦＣ７，ＦＣ８の内面側にはガイド溝部ＦＣ１０が形成されている。これに対し、図９（Ａ），（Ｃ）に示す様に、オス側コネクタＭＣの左右の壁面ＭＣ７，ＭＣ８の外面側には突起部ＭＣ１０が形成されている。
【００５４】
メス側コネクタＦＣに形成されたガイド溝部ＦＣ１０は、雌雄一対のコネクタを係合させるとき、オス側コネクタＭＣに形成された突起部ＭＣ１０の侵入方向を、第１の深さｄまではコネクタ挿抜方向に規制し、第１の深さｄを越えたらコネクタ挿抜方向には規制しない寸法・形状に形成されている。逆に、オス側コネクタＭＣに形成された突起部ＭＣ１０は、雌雄一対のコネクタを係合させるとき、当該突起部ＭＣ１０の侵入方向を、第１の深さｄまではメス側コネクタＦＣに形成されたガイド溝部ＦＣ１０によってコネクタ挿抜方向に規制され、第１の深さｄを越えたらガイド溝部ＦＣ１０によってコネクタ挿抜方向には規制されない寸法・形状に形成されている。
【００５５】
より具体的には、ガイド溝部ＦＣ１０は、図８（Ａ）〜（Ｃ）に示す様に、第１の深さｄまでの部分が突起部ＭＣ１０の幅とほぼ同一の細幅部ＦＣ１１とされ、第１の深さｄを越える部分は回動中心軸周りの相対的な回動を行ったときに突起部ＭＣ１０を逃がす方向に広がる拡大部ＦＣ１２とされた一連の溝として形成されている。また、ガイド溝部ＦＣ１０には、雌雄一対のコネクタを係合させ始めるときに、突起部ＭＣ１０の侵入方向をコネクタ挿抜方向に対して傾かせ得る様に、外に向かって開いた侵入口ＦＣ１３が備えられている。
【００５６】
同じくより具体的な突起部ＭＣ１０は、図９（Ａ），（Ｃ）に示す様に、軸受け部ＭＣ１を突設する水平プレートの下側にだけ形成され、ガイド溝部ＦＣ１０の細幅部ＦＣ１１に侵入可能な幅及び厚さを有する中央部ＭＣ１１と、中央部ＭＣ１１よりも厚さが徐々に減少させられた上部ＭＣ１２と、厚さ及び幅共に徐々に減少させられた先細となる先端部ＭＣ１３とを備えている。
【００５７】
［５  コネクタの係合・回動］
次に、雌雄一対のコネクタの係合と回動について、図１０，図１１に基づいて説明する。
【００５８】
図１０に示す様に、メス側コネクタＦＣに対し、壁面のない前面側からオス側コネクタＭＣを挿入する。このとき、メス側コネクタＦＣのハウジングＦＣ２は三方閉鎖のボックス型とされ、ガイド溝部ＦＣ１０には外に向かって開いた侵入口ＦＣ１３が備えられ、オス側コネクタＭＣの突起部ＭＣ１０は先細の先端部ＭＣ１３を備えているから、図１０（Ｂ）に示す様に、オス側コネクタＭＣが傾いていても、コネクタ同士を差し込み合うとき、外開きの侵入口ＦＣ１３が先細の先端部ＭＣ１３を受け入れ、突起部ＭＣ１０をガイド溝部ＭＣ１０へと誘導し、スムーズな差し込み作業をサポートすることができる。
【００５９】
その後、図１０（Ｄ）に示す様に、メス側コネクタＦＣの回動軸部ＦＣ１に対して軸受け部ＭＣ１を係合させる位置までオス側コネクタＭＣを挿入する。このとき、図１０（Ｃ）に示す様に、ガイド溝部ＦＣ１０の細幅部ＦＣ１１が、突起部ＭＣ１０の中央部ＭＣ１１をコネクタ挿抜方向に沿ってガイドする。
【００６０】
オス側コネクタＭＣの差し込みが完了すると、図１１（Ａ）に示す様に、突起部ＭＣ１０の中央部ＭＣ１１は細幅部ＦＣ１１を通過し、拡大部ＦＣ１２が広がる第１の深さｄよりも深い位置まで侵入する。このとき、図１１（Ｂ）に示す様に、メス側コネクタＦＣの端子ＦＣ３，ＦＣ４は、オス側コネクタＭＣの端子ＭＣ３，ＦＣ４によって両側面を挟まれると共に、接点ＭＣ３ａ，ＭＣ４ａを介して電気的に接続された状態となる。
【００６１】
この状態においては、図１０（Ｄ）に示した様に、メス側コネクタＦＣの回動軸部ＦＣ１とオス側コネクタＭＣの軸受け部ＭＣ１とが係合し、回動中心軸が形成されている。そこで、図１１（Ｃ），（Ｅ）に示す様に、オス側コネクタＭＣを、前方へ向かって最大９０度回動させる操作を容易に実施することができる。この間、図１１（Ｄ），（Ｆ）に示す様に、メス側コネクタＦＣの端子ＦＣ３，ＦＣ４は、オス側コネクタＭＣの端子ＭＣ３，ＦＣ４によって両側面を挟まれると共に、接点ＭＣ３ａ，ＭＣ４ａを介して電気的に接続された状態を維持したままで最大９０度回動される。
【００６２】
この回動操作が始まると、図１１（Ｃ）に示す様に、突起部ＭＣ１０はガイド溝部ＦＣ１０の拡大部ＦＣ１２へと入り込み、コネクタ挿抜方向へ抜き取ることができない状態となる。この結果、回動された後にオス側コネクタＭＣが引っ張られても突起部ＭＣ１０はガイド溝部ＦＣ１０から抜け出すことはない。この結果、両コネクタを係合させてから回動させることにより、自然に、係合を離脱できないロックされた状態を構成することができる。特に、９０度回動させた状態のままではオス側コネクタＭＣを抜き取ることが不可能な状態となる。
【００６３】
このロックされた状態は、回動状態を元に戻すことにより、突起部ＭＣ１０をガイド溝部ＦＣ１０の細溝部ＦＣ１１の延長上に位置させることにより解除され、コネクタ挿抜方向へと抜き取ることが可能になる。よって、抜き取り作業に支障を来すこともない。
【００６４】
［６  実施例１の作用・効果］
本実施例のパチンコ機Ｐによれば、メス側コネクタＦＣのハウジングＦＣ２が、端子ＦＣ３，ＦＣ４の並んだ方向に沿う方の壁面の少なくとも一方が取り去られると共に、オス側コネクタＭＣをメス側コネクタＦＣに挿入して互いに係合し合わせたときに回動軸部ＦＣ１と軸受け部ＭＣ１とが係合し、端子が並ぶ方向に沿った回動中心軸を形成し、メス側コネクタＦＣとオス側コネクタＭＣとを相対的な回動が可能な状態とする。このとき、雌雄一対のコネクタは、ハウジングＦＣ２，ＭＣ２内に所定方向に並ぶ様に備えられた複数個の端子に隣接する様に複数個の溝ＭＣ５又は空所ＦＣ５を備え、対応する端子同士を、溝又は空所内において端子が並ぶ方向に接触させることにより電気的な接続部を形成するから、電気的な接続を維持しつつ、裏ユニットＬＥＤ中継端子板５４の外側に向かってオス側コネクタＭＣを倒す様に回動させ、横挿しと同様の接続状態とすることができる。
【００６５】
この結果、各ＬＥＤ基板に接続されるハーネスは、コネクタ近傍で屈曲させなくてもよく、ハーネス設置のためのスペースを小さくすることができる。また、雌雄一対のコネクタを抜き取る場合には、オス側コネクタＭＣをコネクタ挿抜方向に向くように回動してから抜き取ればよい。これにより、コネクタの挿抜時の作業性を向上させ、端子やハーネスの損傷を抑制することができる。
【００６６】
また、ガイド溝部ＦＣ１０によって突起部ＭＣ１０をコネクタ挿抜方向にガイドすることにより、雌雄一対のコネクタを係合させるときに挿抜方向を安定させる。この結果、回動可能としたことによって挿抜方向が狂い易いといった新たな問題をも解消することができ、一層の作業性向上、それに伴う端子等の損傷の抑制といった作用・効果がより顕著に発揮される。
【００６７】
さらに、雌雄一対のコネクタを係合させるとき、第１の深さｄまでは、突起部ＭＣ１０はガイド溝部ＦＣ１０によって侵入方向をコネクタ挿抜方向に規制され、これにより、的確な方向に係合を開始する。第１の深さｄを越えたらこのガイド溝部ＦＣ１０による侵入方向の規制がなくなる。そして、回動軸部ＦＣ１と軸受け部ＭＣ１とは、第１の深さｄを越えて挿入し合うことによって係合し、両コネクタを相対的に回動可能な状態とする。上述の様に、このときは突起部ＭＣ１０はガイド溝部ＦＣ１０による規制がなされない位置まで侵入しているから、ガイド溝部ＦＣ１０に邪魔されることなく相対的な回動を行うことができる。
【００６８】
また、第１の深さｄを越えて係合させた後に両コネクタを相対的に回動すると、突起部ＭＣ１０はガイド溝部ＦＣ１０の拡大部ＦＣ１２に入り込み、相対的に回動された状態ではコネクタ挿抜方向へ抜き取ることができない上に、オス側コネクタＭＣのハーネスが引っ張られたとしても抜けてしまうことがない。従って、可動体に収納されたＬＥＤ基板へのハーネスに可動体の動作によってハーネスが引っ張られたり戻されたりするときも、コネクタ同士は相対的な回動が可能な状態で係合されているから、ハーネスに加わる引っ張ったり戻したりする力をコネクタの回動によって逃がすことができる。特に、９０度回動させた状態で拡大部ＦＣ１２に突起部ＭＣ１０を侵入させてロックしているから、可動体の動作による引っ張り力が加わったとしても、コネクタが抜けたり緩んだりすることがない。そして、この様な確実な接続状態を維持するに当たり、ロック爪等を備える必要がないから、コネクタの挿入はもちろん、コネクタを抜き取る際も、作業性を向上することができる。
【００６９】
本実施例においては、多数のＬＥＤ基板のハーネスを裏ユニットＬＥＤ端子板５４に対して接続する構成を採用することによって組立や検査などにおける作業の管理等を容易に実施できる様にしている。この様に多くのハーネスを集約させて接続するとき、基板に垂直な方向にハーネスが延びたままであるとハーネスに奥行き方向の屈曲部が形成されてスペースを多く必要とする。この様なスペースの問題を解消するために横挿しとするとコネクタ挿抜の作業性が悪くなる。これに対し、本実施例では、オス側コネクタＭＣをメス側コネクタＦＣに対して端子の延びる方向から挿入する様に係合させた後に９０度回動させてメス側コネクタＦＣが実装されている裏ユニットＬＥＤ端子板５４の背面に平行な方向にハーネスを延ばした状態とすることにより、ハーネスを背面側に大きく飛び出る様に屈曲させることなく基板の正面側へと取り廻すことができ、スペースの抑制とハーネスの損傷抑制とを的確に実現することができる。そして、コネクタ挿抜を作業スペースを十分に確保可能な裏ユニット３の背面側で容易に実行することができ、接続したコネクタから裏ユニット３の正面側のＬＥＤ基板へとハーネスを接続するためにハーネスを極端に屈曲させることなく容易に取り廻すことができる。
【００７０】
なお、ＬＥＤ基板側の接続部５０１ａ〜５０７ａ，５１１ａ〜５１６ａ，５２１ａ１，５２１ａ２，５２２ａ，５２３ａについても、メス側コネクタＦＣを基板側に実装しておき、オス側コネクタＭＣを接続した後に回動させる様に構成すれば、ＬＥＤ基板から裏ユニットＬＥＤ端子板５４までほぼ全体に渡って大きな屈曲部を形成することなく配線することができる。
【実施例２】
【００７１】
実施例２のパチンコ機Ｐ２は、図１２，図１３に示す様に、外枠Ａの開口前面側に中枠Ｂが着脱及び開閉可能に組付けられ、この中枠Ｂの前面側に遊技盤１が着脱及び開閉可能に組み付けられ、この遊技盤１の前面を透視保護する前枠（ガラス扉。図示略。）が中枠Ｂに対して開閉可能に取り付けられた一般的なものである。実施例１と同様に、中枠Ｂの前面側下部には、上部球受け皿Ｅ、下部球受け皿Ｆ及び発射ハンドルＧが取り付けられる。
【００７２】
中枠Ｂの左側面枠部ＢL には、遊技盤１の左辺１L を回動可能に保持する保持具２０１が取り付けられている。この保持具２０１は、Ｌ字状の金具を中枠Ｂの左側面枠部ＢL に対して回動可能に取り付けたもので、遊技盤１を、その左辺１L 及び前面１F に当接した状態で保持する。
【００７３】
中枠Ｂの右側面枠部ＢR には、保持具２０１によって左辺１L を保持された遊技盤１を中枠Ｂに向かって回動したときに右辺１R の側を固定支持する固定装置２０２も取り付けられている。この固定装置２０２は、遊技盤１の右上角部１R1及び右下角部１R2を前面から押圧固定する回動操作部材２０３を備えている。
【００７４】
また、遊技盤１の裏面には、図１３（Ａ）に示す様に、回動中心である左辺１L から所定距離Ｌ１だけ外方向へ離れた右辺１R 近くの位置に遊技盤側コネクタ２１０が取り付けられている。そして、中枠Ｂの前面側には、保持具２０１の回動軸から所定距離Ｌ２（≒Ｌ１）だけ離れた位置に、遊技盤側コネクタ２１０と挿脱される中枠側コネクタ２２０が取り付けられている。
【００７５】
これら中枠側コネクタ２２０及び遊技盤側コネクタ２１０は、図１２に示す様に、端子Ｐinの配列方向が中枠の左右の辺とほぼ平行となる様に取り付けられている。
【００７６】
ここで、中枠側コネクタ２２０には、図１３（Ａ）に示す様に、実施例１と同様の突起部ＭＣ１０を備えたオス側コネクタＭＣを、遊技盤側コネクタ２１０には、実施例１と同様のガイド溝部ＦＣ１０を備えたメス側コネクタＦＣを用いる。このとき、メス側コネクタＦＣの背面側の壁面ＦＣ６が外側になる様に取り付ける。また、オス側コネクタＭＣは、中枠Ｂに対してバネ２３０を介在させたフローティング支持によって取り付けておく。
【００７７】
図１３（Ｂ）に示す様に、中枠Ｂと遊技盤１とを閉じてコネクタ同士を係合させ始めるときは、メス側コネクタＦＣとオス側コネクタＭＣの間には若干の傾きがあるが、ガイド溝部ＦＣ１０の外開きの侵入口ＦＣ１３が、突起部ＭＣ１０の先細の先端部ＭＣ１３を受け入れ、突起部ＭＣ１０をガイド溝部ＭＣ１０へと誘導し、スムーズに差し込みが開始する。そして、図１３（Ｃ）に示す様に、ガイド溝部ＦＣ１０の細幅部ＦＣ１１が、突起部ＭＣ１０の中央部ＭＣ１１をコネクタ挿抜方向に沿ってガイドし、図１３（Ｄ）に示す様に、最終的には、突起部ＭＣ１０の中央部ＭＣ１１は細幅部ＭＣ１１を通過し、拡大部ＭＣ１３が広がる第１の深さｄよりも深い位置まで侵入する。このとき、実施例１において説明した様に、メス側コネクタＦＣの端子ＦＣ３，ＦＣ４は、オス側コネクタＭＣの端子ＭＣ３，ＦＣ４によって両側面を挟まれると共に、接点ＭＣ３ａ，ＭＣ４ａを介して電気的に接続された状態となる。このとき、図１０（Ｄ）に示す様に、回動軸部ＦＣ１と軸受け部ＭＣ１が係合した状態となる。この結果、コネクタ同士の相対的な回動が的確な接続状態へとコネクタ同士の係合状態を自然に調整する。
【００７８】
本実施例によれば、中枠Ｂと遊技盤１の電気的な接続にあっては、旋回によって接近を行う結果、コネクタ同士を係合開始させるときのコネクタ同士の若干の傾斜は、ガイド溝部ＦＣ１０への突起部ＭＣ１０の侵入の誘導作用によって解消される。
【００７９】
一方、中枠Ｂと遊技盤１とを離間させる際には、回動軸が形成されている状態においてバネ１３０でフローティング支持されたオス側コネクタＭＣが傾動可能となっていることから、回動中心軸の周りに相対的な回動が生じ、離間時のコネクタ抜き取り開始をスムーズに実行させる。
【００８０】
この結果、旋回による離間で電気的な接続を解除するときは、コネクタ同士の相対的な回動が相対的な傾斜状態を許容し、スムーズな接続解除を可能にする。
【００８１】
以上、発明を実施するための最良の形態としての実施例及びいくつかの変形例を説明したが、本発明は、これらに限定されるものではなく、その要旨を逸脱しない範囲内における種々の変更が可能である。
【００８２】
例えば、オス側コネクタＭＣを基板に実装しておき、ハーネス側をメス側コネクタＦＣとしても構わない。また、スロットマシンにおける配線接続等に適用しても構わない。さらに、オス側もメス側も基板に実装し、ボード・トゥー・ボード接続を採用した遊技機に適用しても構わない。
【００８３】
ＬＥＤ基板に限らず、モータ、ソレノイド、液晶表示装置との接続はもちろん、センサとの接続、さらにはメイン制御基板とサブ制御基板との接続部など、信号線、電源線の接続において、本発明を適用することができる。また、本発明によって配線したハーネスをハーネスダクトで覆う様にしたり、接続して９０度回動させたコネクタをカバー体で覆う様にしても構わない。
【産業上の利用可能性】
【００８４】
本発明は遊技機に利用することができる。
【符号の説明】
【００８５】
１・・・遊技盤、１ａ・・・板部材、１ｈ１，１ｈ２・・・配線孔、３・・・裏ユニット、３ｈ１，３ｈ２，３ｈ３，３ｈ４，３ｈ２１〜３ｈ２３・・・配線孔、５・・・センター役物、３１・・・大型装飾体、５１・・・遊技盤入出力信号中継端子板、５２・・・電源中継基板、５３・・・ランプ中継信号基板、５４・・・裏ユニットＬＥＤ中継端子板、１１０・・・上部可動体、１２０・・・左可動体、１３０・・・シャッタ付可動体（右下可動体）、１４０・・・右上可動体、２０１・・・保持具、２０２・・・固定装置、２０３・・・回動操作部材、２１０・・・遊技盤側コネクタ、２２０・・・中枠側コネクタ、２３０・・・バネ、５０１，５０２，５０３，５０４，５０５，５０６，５０７，５１１，５１２，５１３，５１４，５１５，５１６，５２１−１，５２１−２，５２２，５２３・・・ＬＥＤ基板、５０１ａ〜５０７ａ，５１１ａ〜５１６ａ，５２１ａ１，５２１ａ２，５２２ａ，５２３ａ・・・接続部、５０１ｈ〜５０７ｈ，５１１ｈ〜５１６ｈ，５２１ｈ１，５２１ｈ２，５２２ｈ，５２３ｈ・・・ハーネス、５２１ｃ１，５２１ｃ２・・・円弧状開口、Ａ・・・外枠、Ｂ・・・中枠、Ｃ１・・・メス側コネクタ、Ｃ２・・・オス側コネクタ、Ｃ５０１〜Ｃ５０６，Ｃ５１１〜Ｃ５１６，Ｃ５２１〜Ｃ５２４・・・コネクタ、Ｄ・・・前枠、ＦＣ・・・メス側コネクタ、ＦＣ１・・・回動軸部、ＦＣ２・・・ハウジング、ＦＣ３，ＦＣ４・・・端子、ＦＣ５・・・空所、ＦＣ６〜ＦＣ８・・・壁面、ＦＣ１０・・・ガイド溝部、ＦＣ１１・・・細幅部、ＦＣ１２・・・拡大部、ＦＣ１３・・・侵入口、Ｈ，Ｈ１，Ｈ２・・・ハーネス、Ｊ・・・回動中心軸、Ｊ１・・・回動軸部、Ｊ２・・・軸受け部、Ｋ１，Ｋ２・・・基板、ＭＣ・・・オス側コネクタ、ＭＣ１・・・軸受け部、ＭＣ２・・・ハウジング、ＭＣ３，ＭＣ４・・・端子、ＭＣ３ａ，ＭＣ４ａ・・・接点、ＭＣ５・・・溝、ＭＣ７，ＭＣ８・・・壁面、ＭＣ７ａ，ＭＣ８ａ・・・水平プレート、ＭＣ７ｂ，ＭＣ８ｂ・・・垂直プレート、ＭＣ１０・・・突起部、ＭＣ１１・・・中央部、ＭＣ１２・・・上部、ＭＣ１３・・・先端部、Ｐ，Ｐ２・・・パチンコ機。
【図１】
2016214695.tif 000003
【図２】
2016214695.tif 000004
【図３】
2016214695.tif 000005
【図４】
2016214695.tif 000006
【図５】
2016214695.tif 000007
【図６】
2016214695.tif 000008
【図７】
2016214695.tif 000009
【図８】
2016214695.tif 000010
【図９】
2016214695.tif 000011
【図１０】
2016214695.tif 000012
【図１１】
2016214695.tif 000013
【図１２】
2016214695.tif 000014
【図１３】
2016214695.tif 000015
【図１４】
2016214695.tif 000016